(57)【要約】【課題】  ＴＶ映像の表示位置及び表示サイズを簡単に変更することのできるナビゲーションシステム装置、その制御方法、制御プログラム及び記録媒体を提供する。【解決手段】    地図とＴＶ映像とを表示画面１４に同時に表示可能な表示手段、前記表示画面上に設けられたタッチパネル３２及び前記タッチパネル３２のタッチ操作の状態を検出するタッチ操作検出手段を備え、前記地図に基づいて経路案内を行うと共に、前記タッチパネル３２による操作を可能にしたナビゲーション装置において、前記表示画面１４に地図とＴＶ映像とが同時に表示されているときに、前記タッチ操作検出手段により、前記表示画面１４の地図またはＴＶ映像のいずれかの表示領域に対応する前記タッチパネル３２上でタッチ操作が検出された場合に、当該タッチ操作された位置に対応する表示領域を、当該タッチ操作する以前の大きさよりも大きくして、前記表示手段に表示させる表示制御部を備えた。【選択図】      図６
2006084919.tif 000002
【特許請求の範囲】
【請求項１】
地図とＴＶ映像とを表示画面に同時に表示可能な表示手段、前記表示画面上に設けられたタッチパネル及び前記タッチパネルのタッチ操作の状態を検出するタッチ操作検出手段を備え、前記地図に基づいて経路案内を行うと共に、前記タッチパネルによる操作を可能にしたナビゲーション装置において、
前記表示画面に地図とＴＶ映像とが同時に表示されているときに、前記タッチ操作検出手段により、前記表示画面の地図またはＴＶ映像のいずれかの表示領域に対応する前記タッチパネル上でタッチ操作が検出された場合に、当該タッチ操作された位置に対応する表示領域を、当該タッチ操作する以前の大きさよりも大きくして、前記表示手段に表示させる表示制御部を備えたことを特徴とするナビゲーション装置。
【請求項２】
前記表示制御部は、全画面表示を指示すべく所定時間以上前記タッチ操作が継続してなされた場合に、当該タッチ操作された位置に対応する表示領域の画像を全画面表示して、前記表示手段に表示させることを特徴とする請求項１記載のナビゲーション装置。
【請求項３】
前記表示制御部は、前記全画面表示状態において、前記タッチパネルがタッチ操作された場合に、前記表示画面が前記全画面表示する以前の表示状態に戻して、前記表示手段に表示させることを特徴とする請求項１又は２記載のナビゲーション装置。
【請求項４】
前記表示制御部は、前記表示領域の境界部分に対応するタッチパネル上の位置がタッチ操作された場合に、前記地図とＴＶ映像との表示領域を入れ替えて、前記表示手段に表示させることを特徴とする請求項１乃至３のいずれか一項記載のナビゲーション装置。
【請求項５】
地図とＴＶ映像とを表示画面に同時に表示可能な表示手段、前記表示画面上に設けられたタッチパネル及び前記タッチパネルのタッチ操作の状態を検出するタッチ操作検出手段を備え、前記地図に基づいて経路案内を行うと共に、前記タッチパネルによる操作を可能にしたナビゲーション装置において、
前記表示画面に地図とＴＶ映像とが同時に表示されているときに、前記タッチパネルの中央部分がタッチ操作された場合に、前記地図とＴＶ映像との表示領域を入れ替えて、前記表示手段に表示させる表示制御部を備えたことを特徴とするナビゲーション装置。
【請求項６】
地図とＴＶ映像とを表示画面に同時に表示可能な表示手段及び前記表示画面上に設けられたタッチパネルを備え、前記地図に基づいて経路案内を行うと共に、前記タッチパネルによる操作を可能にしたナビゲーション装置を制御する制御方法において、
前記表示画面に地図とＴＶ映像とを同時に表示する表示過程と、
前記表示画面の地図またはＴＶ映像のいずれかの表示領域に対応する前記タッチパネル上でタッチ操作が検出された場合に、
当該タッチ操作された位置に対応する表示領域の画像を、当該タッチ操作する以前の大きさよりも大きくして、前記表示手段に表示させる表示変更過程と、を備えたことを特徴とするナビゲーション装置の制御方法。
【請求項７】
地図及びＴＶ映像を表示画面に同時に表示可能な表示手段及び前記表示画面上に設けられたタッチパネルを備え、前記地図に基づいて経路案内を行うと共に、前記タッチパネルによる操作を可能にしたナビゲーション装置を、コンピュータにより制御するための制御プログラムにおいて、
前記表示画面に地図とＴＶ映像とを同時に表示させ、
前記表示画面の地図またはＴＶ映像のいずれかの表示領域に対応する前記タッチパネル上の位置がタッチ操作されたか否かを判別させ、タッチ操作がなされた場合に当該タッチ操作された位置に対応する表示領域の画像を、当該タッチ操作する以前の大きさよりも大きくした状態で、前記表示手段に表示させることを特徴とする制御プログラム。
【請求項８】
請求項７記載の制御プログラムを記録したことを特徴とするコンピュータ読み取り可能な記録媒体。
【発明の詳細な説明】
【技術分野】
【０００１】
本発明は、目的地までの誘導経路を探索するナビゲーション装置、その制御方法、制御プログラム及び記録媒体に関する。
【背景技術】
【０００２】
近年、車載型のナビゲーション装置においては、表示装置の表示画面全体に地図を表示する全画面表示に加え、表示画面を２分割してなる２画面表示を可能にしたものが知られている。さらに、２画面表示が可能なナビゲーション装置として、地図と共にＤＶＤやＣＤ、ビデオテープ等の記録媒体に記録されたアニメや映画、音楽映像等のＴＶ映像を表示するものが知られている。このようなナビゲーション装置では、ＴＶ映像の表示位置を設定するための設定画面が予め用意されており、ユーザーがＴＶ映像の表示位置を変更する場合には、この設定画面を呼び出して、再設定する構成となっている（例えば、特許文献１参照）。
【特許文献１】特開２０００−３４６６５１号公報
【発明の開示】
【発明が解決しようとする課題】
【０００３】
しかしながら、上記従来の技術にあっては、ユーザーがＴＶ映像の表示位置を変更しようとするたびに、上記設定画面を呼び出して設定する必要があり、ＴＶ映像が見づらくなると共に、ＴＶ映像等の表示位置の変更操作が煩雑であるという問題があった。
【０００４】
本発明は、上述した事情に鑑みてなされたものであり、ＴＶ映像等の表示位置及び表示サイズを簡単に変更することのできるナビゲーションシステム装置、その制御方法、制御プログラム及び記録媒体を提供することを目的とする。
【課題を解決するための手段】
【０００５】
本発明は、地図とＴＶ映像とを表示画面に同時に表示可能な表示手段、前記表示画面上に設けられたタッチパネル及び前記タッチパネルのタッチ操作の状態を検出するタッチ操作検出手段を備え、前記地図に基づいて経路案内を行うと共に、前記タッチパネルによる操作を可能にしたナビゲーション装置において、前記表示画面に地図とＴＶ映像とが同時に表示されているときに、前記タッチ操作検出手段により、前記表示画面の地図またはＴＶ映像のいずれかの表示領域に対応する前記タッチパネル上でタッチ操作が検出された場合に、当該タッチ操作された位置に対応する表示領域を、当該タッチ操作する以前の大きさよりも大きくして、前記表示手段に表示させる表示制御部を備えたことを特徴とする。
【０００６】
この場合において、前記表示制御部は、全画面表示を指示すべく所定時間以上前記タッチ操作が継続してなされた場合に、当該タッチ操作された位置に対応する表示領域の画像を全画面表示して、前記表示手段に表示させてもよい。前記表示制御部は、前記全画面表示状態において、前記タッチパネルがタッチ操作された場合に、前記表示画面が前記全画面表示する以前の表示状態に戻して、前記表示手段に表示させてもよい。前記表示制御部は、前記表示領域の境界部分に対応するタッチパネル上の位置がタッチ操作された場合に、前記地図とＴＶ映像との表示領域を入れ替えて、前記表示手段に表示させてもよい。
【０００７】
また、地図とＴＶ映像とを表示画面に同時に表示可能な表示手段、前記表示画面上に設けられたタッチパネル及び前記タッチパネルのタッチ操作の状態を検出するタッチ操作検出手段を備え、前記地図に基づいて経路案内を行うと共に、前記タッチパネルによる操作を可能にしたナビゲーション装置において、前記表示画面に地図とＴＶ映像とが同時に表示されているときに、前記タッチパネルの中央部分がタッチ操作された場合に、前記地図とＴＶ映像との表示領域を入れ替えて、前記表示手段に表示させる表示制御部を備えてもよい。
【０００８】
また、本発明は、地図とＴＶ映像とを表示画面に同時に表示可能な表示手段及び前記表示画面上に設けられたタッチパネルを備え、前記地図に基づいて経路案内を行うと共に、前記タッチパネルによる操作を可能にしたナビゲーション装置を制御する制御方法において、前記表示画面に地図とＴＶ映像とを同時に表示する表示過程と、前記表示画面の地図またはＴＶ映像のいずれかの表示領域に対応する前記タッチパネル上でタッチ操作が検出された場合に、当該タッチ操作された位置に対応する表示領域の画像を、当該タッチ操作する以前の大きさよりも大きくして、前記表示手段に表示させる表示変更過程と、を備えたことを特徴とする。
【０００９】
また、本発明は、地図及びＴＶ映像を表示画面に同時に表示可能な表示手段及び前記表示画面上に設けられたタッチパネルを備え、前記地図に基づいて経路案内を行うと共に、前記タッチパネルによる操作を可能にしたナビゲーション装置を、コンピュータにより制御するための制御プログラムにおいて、前記表示画面に地図とＴＶ映像とを同時に表示させ、前記表示画面の地図またはＴＶ映像のいずれかの表示領域に対応する前記タッチパネル上の位置がタッチ操作されたか否かを判別させ、タッチ操作がなされた場合に当該タッチ操作された位置に対応する表示領域の画像を、当該タッチ操作する以前の大きさよりも大きくした状態で、前記表示手段に表示させることを特徴とする。
【００１０】
また、本発明は、コンピュータ読み取り可能な記録媒体において、前記制御プログラムを記録したことを特徴とする。
【発明の効果】
【００１１】
本発明によれば、表示画面に対する操作時の操作性を向上させることができる。
【発明を実施するための最良の形態】
【００１２】
以下図面を参照して、本発明の実施の形態について説明する。図１は本実施の形態に係るナビゲーション装置１の外観構成を示す斜視図である。この図に示すように、ナビゲーション装置１は、車両のダッシュボード２に設けられた所定の収納スペースに嵌め込まれる装置本体１０と、この装置本体１０の正面に設けられた操作パネル１１とを備えている。操作パネル１１は、枠体としてのフェイスパネル１２と、このフェイスパネル１２上に設けられた複数の操作スイッチ１３と、フェイスパネル１２に嵌め込まれた表示パネル１４とを有している。この表示パネル１４には、現在地点の周辺地図、車両の現在位置、及び、目的地までの経路が表示され、これにより経路案内が行われる。
【００１３】
操作パネル１１は、図２に示すように、装置本体１０の正面に設けられた収納部１５に開閉自在に取り付けられている。具体的には、図３に示すように、収納部１５両側の側壁１６の面内には、上下に延びるガイド溝１７が形成され、操作パネル１１の上方両端側に設けられた突起１８が上記ガイド溝１７に移動自在に取り付けられると共に、操作パネル１１の下方両端側にはパネル駆動機構１９が取り付けられている。このパネル駆動機構１９は、装置本体１０の正面に向けて突出して操作パネル１１の下端部を押し出すものであり、図示せぬモータによって突出駆動されるスライドバー２０を有し、このスライドバー２０の先端が操作パネル１１の側面下方に軸ピン２０Ａにより連結され、操作パネル１１を回転自在に支持している。
【００１４】
したがって、パネル駆動機構１９による操作パネル１１の下端部の押し出し動作に伴い、突起１８がガイド溝１７に沿って下方側に移動することで、操作パネル１１が傾動し、前掲図２に示すように、操作パネル１１が開かれ、そして、装置本体１０の正面が露出する。これとは逆に、パネル駆動機構１９が操作パネル１１の下端部を引き戻し、突起１８がガイド溝１７に沿って上方側に移動することで、前掲図１に示すように操作パネル１１が閉じ、装置本体１０が操作パネル１１に覆われた状態となる。この操作パネル１１の開閉動作、すなわち、上記スライドバー２０を駆動する図示せぬモータの始動は、操作パネル１１のフェイスパネル１２上に配設された操作スイッチ１３の操作に基づいて行われる。
【００１５】
装置本体１０の正面には、前掲図２に示すように、メモリカード等のカード型記録媒体が挿入されるカード挿入口２５や、このカード挿入口２１からカード型記録媒体を排出するための排出ボタン２２、ＣＤ（Compact Disc）或いはＤＶＤ(Digital Versatile Disk)等のディスク型記録媒体（光ディスク）が挿入されるディスク挿入口２３、ディスク挿入口２３からディスク型記録媒体を排出するための排出ボタン２４などが設けられている。これらの挿入口２１、２３は、上述の通り、通常時は操作パネル１１により覆われており、操作スイッチ１３を操作して操作パネル１１を開くことで、挿入口２１、２３にアクセス可能となる。
【００１６】
次いで、操作パネル１１に設けられた表示パネル１４の構成について詳細する。図４に示すように、表示パネル１４は、液晶駆動回路基板３０と、液晶パネル３１と、タッチパネル３２とを有し、これらがこの順で積層配置されている。タッチパネル３２には、抵抗膜方式のものが用いられ、透明度（光透過度）が高く、液晶パネル３１の表示がタッチパネル３２を通して視認可能になされている。したがって、液晶パネル３１に各種操作のためのメニュー画面や操作画面が表示されているときに、タッチパネル３２を指先等でタッチ操作することで、各種操作が可能となっている。このように、本ナビゲーション装置１にあっては、フェイスパネル１２に設けた操作スイッチ１３に加え、タッチパネル３２による操作も行うことができるようになっている。なお、表示パネル１４としては、上記液晶パネル３１に代えて、例えば有機ＥＬ（Electro-Luminescence）パネル等を用いることも可能である。
【００１７】
次に、ナビゲーション装置１の機能的構成について詳述する。図５において、制御部１００は、ナビゲーション装置１の各部を中枢的に制御するものであり、演算・制御手段としてのメインＣＰＵ（Central Processing Unit）１０１と、ＲＯＭ（Read Only Memory）１０２、ＤＲＡＭ（Dynamic Random Access Memory）１０４及びＳＲＡＭ（Static Random Access Memory）１０６を有する記憶部１１０とを備えている。ＲＯＭ１０２はメインＣＰＵ１０１によって実行される制御プログラムやデータ等を格納するものである。ナビゲーション装置１の主電源投入時に、メインＣＰＵ１０１がＲＯＭ１０２に格納されている制御プログラムやデータ等を読み出し、実行することで、各部の制御動作が行われる。ＤＲＡＭ１０４はメインＣＰＵ１０１がＲＯＭ１０２から読み出したプログラムや、演算結果、演算途中のデータ等を一時的に格納するものである。ＳＲＡＭ１０６はナビゲーション装置１の主電源切断時に、ＤＲＡＭ１０４に格納されているデータ等の記憶内容をバックアップするものであり、主電源切断後においても車両のバッテリーから電力が供給されており、主電源切断後もバックアップすべき記憶内容を保持可能になされている。
【００１８】
主記憶部１２０は比較的容量の大きな各種アプリケーションプログラムやデータ等を格納するものであり、例えばハードディスク装置を備えている。主記憶部１２０に格納されるものとしては、例えば経路案内のためのプログラムや、表示パネル１４の表示制御のためのプログラム、経路案内のための地図データ等がある。
【００１９】
記録媒体読取部１３０は、制御部１００の制御の下、上述したカード型記録媒体やディスク型記録媒体に記録されているデータを読み取り、制御部１００に出力するものであり、カード型記録媒体読取装置や、ＣＤ／ＤＶＤドライブ装置等を備えている。なお、記録媒体に地図データを格納し、この地図データを経路案内に用いる構成としても良い。
【００２０】
音出力部１３５は制御部１００の制御の下、音楽や音声を出力するものであり、例えば、記録媒体に記録された音楽データの再生にあっては、記録媒体読取部１３０によって読み取られた音楽データが音出力部１３５に出力され、音楽が再生される。
【００２１】
表示部１４０は、制御部１００の制御の下、地図等の各種情報を表示するものであり、描画回路１４２と、液晶駆動回路１４４と、上述した液晶パネル３１とを備えている。描画回路１４２は、地図データ等を含む描画コマンドＤＳＳを制御部１００から受け取り、この描画コマンドＤＳＳに基づく表示を行うべく液晶駆動回路１４４を制御するものであり、描画プロセッサ１４６とＶＲＡＭ１４８とを備えている。描画プロセッサ１４６は、描画コマンドＤＳＳに基づいて液晶パネル３１に表示すべき描画データ（例えばビットマップ画像データ）を生成するものであり、ＶＲＡＭ（Video RAM）１４８は描画データを保持するものである。液晶駆動回路１４４はＶＲＡＭ１４８に保持されている描画データを順次受け取り、この描画データに基づいて液晶パネル３１に表示するものである。これら描画回路１４２及び液晶駆動回路１４４は、上述した液晶駆動回路基板３０に実装されている。
【００２２】
位置検出部１５０は、ＧＰＳ（Global Positioning System）衛星から送信されているＧＰＳ電波を受信するアンテナ（レシーバでも良い）を備え、ＧＰＳ電波に基づいて、車両の現在地点を示す位置座標と、進行方向とを計算し、位置検出信号ＰＳとして制御部１００に出力するものである。制御部１００は、経路探索時においては、位置検出信号ＰＳにより示される現在地点から目的地までの誘導経路を探索して探索結果を表示部１４０に表示し、また、経路案内時には、位置検出信号ＰＳに基づいて現在位置の移動状況を地図と共に表示部１４０に表示して経路案内を行う。
【００２３】
ＦＭ多重受信処理部１６０は、制御部１００の制御の下、ＦＭ多重放送波を受信して、渋滞や事故、交通規制といったＶＩＣＳ情報や天気予報といった情報を取り出し、制御部１００に出力するものである。また、ビーコン受信処理部１７０は、制御部１００の制御の下、車両走行中の道路に関するＶＩＣＳ情報（道路交通情報）を受信し、制御部１００に出力するものである。これらＶＩＣＳ情報や天気予報といった情報は、交通に関する情報であり、また、運転者にとって車両運転上の手助けとなる情報である。このような情報を以下の説明では走行補助情報と称することにする。本実施の形態では、ＦＭ多重受信処理部１６０及びビーコン受信処理部１７０は、走行補助情報を示す文字情報を取得しており、走行補助情報受信時には、この文字情報が制御部１００に出力される。制御部１００は、走行補助情報を表示部１４０に表示する際には、ＦＭ多重受信処理部１６０或いはビーコン受信処理部１７０から受け取った文字情報に基づいて描画コマンドＤＳＳを生成し、表示部１４０に出力することで、走行補助情報の表示を行う。
【００２４】
ＴＶ受信処理部１８０は、制御部１００の制御の下、ＴＶ（テレビジョン）放送波を受信してＴＶ映像及びＴＶ音声を制御部１００に出力するものであり、図示せぬＴＶチューナ回路を備えている。ＴＶ映像は動画像として液晶パネル３１に表示され、また、ＴＶ音声は音出力部１３５から出力される。
【００２５】
操作部１９０は、スイッチ操作部１９２と、タッチパネル操作部１９４とを備えている。スイッチ操作部１９２は、上述した操作スイッチ１３に加え、この操作スイッチ１３の操作を電気信号に変換してスイッチ信号ＳＳを制御部１００に出力するスイッチ回路基板（図示せず）を備えている。タッチパネル操作部１９４は、上述したタッチパネル３２に加え、タッチパネル３２の操作を電気信号に変換してタッチ信号ＴＳを制御部１００に出力するタッチパネル回路基板（図示せず）を備えている。タッチ信号ＴＳには、タッチパネル３２の面上の操作個所を示す座標情報が含まれており、これにより、制御部１００が、液晶パネル３１に表示されている操作ボタンのうち、どの操作ボタンが操作されたかを識別可能となる。
【００２６】
車両情報取得部２００は、車両の走行状態に関する情報を取得するものである。具体的には、車両情報取得部２００は、イルミネーション情報取得部２０２と、車速パルス取得部２０４と、パーキングブレーキ操作状態取得部２０６とを備えている。イルミネーション情報取得部２０２は、車両に配設されたイルミネーション配線の電流（或いは電圧）を検知し、車両のスモールライト（車幅灯）のオン・オフを示すイルミネーション信号ＩＬＳを制御部１００に出力するものである。車両のスモールライトのオン・オフを検出することで、車両の周囲の明るさを特定することが可能となり、イルミネーション信号ＩＬＳによって、スモールライトの点灯が示されている場合、制御部１００は、描画回路１４２を制御することで、液晶パネル３１の輝度を高め、液晶パネル３１の表示が見えにくくなるのを防止する。
【００２７】
車速パルス取得部２０２は、車両の走行速度を示す車速パルス信号を車両に搭載されたコンピュータ、或いは、車両に取り付けられたセンサから取得し、制御部１００に車速信号ＣＳＳとして出力するものである。
【００２８】
パーキングブレーキ操作状態取得部２０４は、車両のパーキングブレーキレバー（或いはペダル）の操作状態を取得し、パーキングブレーキがかけられているか否かを示すパーキングブレーキ状態信号ＰＢＳを出力するものである。すなわち、このパーキングブレーキ状態信号ＰＢＳに基づいて車両が駐車中であるか否か、特に、車両が走行中（一時的な停止状態を含む）であるかが特定され、制御部１００は、走行の安全を図るべく、車両が駐車中でない場合には、操作部１９０からのスイッチ信号ＳＳ及びタッチ信号ＴＳの入力を無効とし、車両が駐車していないとき、特に車両走行中における操作を禁止している。
【００２９】
本実施の形態では、表示画面の表示モードとして、１画面表示モードと２画面表示モードとを有する。１画面表示モードは、ＴＶデータあるいは地図データのいずれかを取得して、ＴＶあるいは地図を画面全体に表示する表示モードである。これに対して、２画面表示モードは、ＴＶデータと地図データとを同時に取得し、ＴＶと地図とを同時に表示するモードである。ただし、本実施の形態では、２画面表示モードにおいて、ＴＶデータと地図データとを同時に取得しつつ、ＴＶあるいは地図のいずれかを画面全体に表示（全画面表示）することができる。
【００３０】
また、制御部１００はタイマカウンタ１０８を有し、第１の所定時間（例えば０．２秒）を越え、かつ、第１の所定時間より長い第２の所定時間（例えば２秒）未満タッチパネル３２が継続してタッチ操作なされたときに短押しがなされたと判定する。また、制御部１００は、第２の所定時間以上タッチパネル３２が継続してタッチ操作なされたときに長押しがなされたと判定する。ここで、第１の所定時間は、外部ノイズの影響やチャタリングを防止するために設けられている。
【００３１】
先ず、ＴＶデータと地図データのうち、一方のデータを画面全体に表示中にもう一方のデータを窓枠表示する２画面表示モードにおいて、ユーザーがＴＶ表示面１４Ｔを全画面表示に変更する場合について説明する。
【００３２】
図６は、地図表示面１４Ｍを画面全体に表示し、ＴＶ表示面１４Ｔを窓枠表示している。このとき、ＴＶ表示面１４Ｔを長押しすることにより、地図表示面１４Ｍが消え、ＴＶ表示面１４Ｔが全画面表示となる。さらに、この全画面表示されたＴＶ表示面１４Ｔをもう一度長押しすると、表示パネル１４は元の２画面表示に戻る。また、今度は図６と同じ２画面表示モードにおいて、逆にユーザーが地図表示面１４Ｍを全画面表示へ変更を行う場合を図７に示す。図６の場合と同様に、地図表示面１４Ｍを長押しすることのより、ＴＶ表示面１４Ｔが消え、地図表示面１４Ｍが全画面表示となる。さらに、ＴＶ表示面１４Ｔを全画面表示したときと同様に、この全画面表示された地図表示面１４Ｍをもう一度長押しすると、表示パネル１４は元の２画面表示に戻る。
【００３３】
具体的には図８のフローチャートに示すように、制御部１００は先ず、２画面表示モード状態であるかを判定する（ステップＳ１）。
ステップＳ１の判定において、表示モードが２画面表示モード状態であると判定された場合には（ステップＳ１：ＹＥＳ）、制御部１００は次にタッチパネル３２が長押しされたかを判定する（ステップＳ２）。
【００３４】
ステップＳ２の判定において、タッチパネル３２が長押しされたと判定された場合には（ステップＳ２：ＹＥＳ）、制御部１００は次に２画面表示モード状態において、現在の表示が２画面表示あるいは全画面表示のどちらであるかを判定する（ステップＳ３）。
【００３５】
ステップＳ３において、現在の表示が２画面表示であると判定された場合には（ステップＳ３：２画面表示）、制御部１００はＴＶと地図の表示位置・高さ・幅等の表示パラメータを取得し（ステップＳ４）、次に表示画面上において地図表示面１４Ｍが押されたかを判定する（ステップＳ５）。
【００３６】
ステップＳ５において、表示画面上において地図表示面１４Ｍが押されたと判定されていれば（ステップＳ５：ＹＥＳ）、制御部１００は表示パラメータを変更し、地図表示面１４Ｍを全画面表示する（ステップＳ６）。
一方、ステップＳ５において地図表示面１４Ｍが押されていないと判定された場合（ステップＳ５：ＮＯ）、制御部１００は表示パラメータを変更し、ＴＶ表示面１４Ｔを全画面表示する（ステップＳ７）。
また、ステップＳ３で、全画面表示であると判定された場合には（ステップＳ３：全画面表示）、制御部１００は次に全画面表示にする前の２画面表示の表示パラメータを取得し（ステップＳ８）、取得した値を元にして、ＴＶ・地図表示面１４Ｍを２画面表示する（ステップＳ９）。
制御部１００が上記ステップＳ１からＳ９までの処理を行うことにより、ユーザーは簡単な操作により一つの表示領域に専念できる状態に容易かつ瞬時に移ることができる。
【００３７】
次に、ユーザーがＴＶ表示面１４Ｔの窓枠サイズの拡大を行う場合について説明する。図９は図６と同様、地図表示面１４Ｍを表示パネル１４全体に表示し、ＴＶ表示面１４Ｔを窓枠表示している。このとき、ＴＶ表示面１４Ｔを短押しすることにより、ＴＶ表示面１４Ｔの窓枠サイズが一段階拡大し、さらに、ＴＶ表示面１４Ｔを短押しする毎に、ＴＶ表示面１４Ｔの窓枠サイズは一段階ずつ拡大する。逆に窓枠サイズを縮小する場合は、図１０に示すように、表示部全体に表示された地図表示面１４Ｍを短押しすることにより、ＴＶ表示面１４Ｔの窓枠サイズが一段階縮小し、さらに、地図表示面１４Ｍを短押しする毎に、ＴＶ表示面１４Ｔの窓枠サイズは一段階ずつ縮小する（地図表示面１４Ｍの表示領域の割合が大きくなる）。
【００３８】
具体的には図１１のフローチャートに示すように、制御部１００は先ず、２画面表示モード状態であるかを判定する（ステップＳ１０）。
ステップＳ１０の判定において、表示モードが２画面表示モード状態であると判定された場合には（ステップＳ１０：ＹＥＳ）、制御部１００は次にタッチパネル３２が短押しされたかを判定する（ステップＳ１１）。
【００３９】
ステップＳ１１の判定において、タッチパネル３２が短押しされたと判定された場合には（ステップＳ１１：ＹＥＳ）、制御部１００は次にＴＶ表示面１４Ｔと地図表示面１４Ｍとのどちらの表示領域が押されたかを判定する（ステップＳ１２）。
【００４０】
ステップＳ１２の判定において、ＴＶ表示面１４Ｔが押されたと判定された場合には（ステップＳ１２：ＴＶ表示面）、制御部１００はＴＶと地図の表示位置・高さ・幅等の表示パラメータを取得し（ステップＳ１３）、ＴＶ表示面１４Ｔの窓枠を一段階拡大して表示する（ステップＳ１４）。
【００４１】
また、ステップＳ１２の判定において、地図表示面１４Ｍが押されたと判定された場合には（ステップＳ１２：地図表示面）、制御部１００はＴＶと地図の表示位置・高さ・幅等の表示パラメータを取得し（ステップＳ１５）、ＴＶ表示面１４Ｔの窓枠を一段階縮小して表示する（ステップＳ１６）。
制御部１００が上記ステップＳ１０からＳ１６の処理を行うことにより、ユーザーは容易な操作を繰り返すことにより、好みの窓枠サイズに段階的に変更することができる。
【００４２】
次に、ユーザーがＴＶ表示面１４Ｔと地図表示面１４Ｍの反転を行う場合について説明する。図１２及び図１３は図６及び図９と同様、地図表示面１４Ｍを表示パネル１４全体に表示し、ＴＶ表示面１４Ｔを窓枠表示している。このとき、図１２に示すようにＴＶ表示面１４Ｔと地図表示面１４Ｍの境界部１４Ｂを長押し、又は、図１３に示すように表示パネル中央部分１４Ｃを長押しすると、２つの表示領域はそれぞれ反転して表示される。
【００４３】
具体的には図１４のフローチャートに示すように、制御部１００は先ず、２画面表示モード状態であるかを判定する（ステップＳ１７）。
ステップＳ１７の判定において、２画面表示モード状態であると判定された場合には（ステップＳ１７：ＹＥＳ）、制御部１００は次にタッチパネル３２に表示されたＴＶ表示面１４Ｔと地図表示面１４Ｍとの境界部１４Ｂ又は表示パネル中央部分１４Ｃが長押しされたかを判定する（ステップＳ１８）。
【００４４】
ステップＳ１８の判定において、２つの表示領域の境界部分１４Ｂ又は表示パネル中央部分１４Ｃが長押しされたと判定された場合には（ステップＳ１８：ＹＥＳ）、制御部１００はＴＶと地図の表示位置・高さ・幅等の表示パラメータを取得し（ステップＳ１９）、このパラメータを基にしてＴＶ表示の表示パラメータの値を地図表示の表示パラメータに設定（ステップＳ２０）、地図表示の表示パラメータの値をＴＶ表示の表示パラメータに設定（ステップＳ２１）の順に処理する。
そして、制御部１００はＴＶ表示面１４Ｔと地図表示面１４Ｍとを反転して表示する。
ステップＳ１７の判定において２画面表示モード状態でない、すなわち１画面表示モードであると判定された場合には（ステップＳ１７：ＮＯ）、制御部１００は処理を終了する。
【００４５】
また、ステップＳ１８において、２つの表示領域の境界部分１４Ｂ又は表示パネル中央部分１４Ｃが長押しされていないと判断された場合には（ステップＳ１８：ＮＯ）、制御部１００の処理はステップＳ１７の前の状態に戻る。
制御部１００が上記ステップＳ１７からＳ２１の処理を行うことにより、ユーザーは容易な操作により、好みに応じてＴＶ表示面１４Ｔと地図表示面１４Ｍの配置を反転することができる。
【００４６】
本実施形態によると、ＴＶと地図の２画面表示状態において、全画面表示と２画面表示の切り替え、表示画面内の窓枠サイズの変更、ＴＶ表示面１４Ｔと地図表示面１４Ｍの反転を行う際に、その都度、画面設定の画面に移動する必要がなくなり、これらの操作が容易かつ瞬時に行えるようになる。これにより、操作性が格段に向上され、娯楽性がよりいっそう高められる。
【００４７】
以上、一実施形態に基づいて本発明を説明したが、本発明は、これに限定されるものではない。例えば、本実施形態では、ＴＶデータと地図データのみを用いて表示画面に表示しているが、ＴＶデータと地図データ以外のデータを用いて表示画面に表示してもよい。
【００４８】
また、本実施形態では、２画面表示モードにより、２つの表示領域に分割表示しているが、３つ以上の表示領域に分割表示してもよい。例えば、表示画面を縦横それぞれ二等分することにより４つの表示領域に分割し、４画面表示モードが可能なナビゲーション装置について説明する。４つの表示面の内、１つを長押しすることにより、この長押しされた表示面が全画面表示となり、この全画面表示となった状態で表示面をもう一度長押しすると、表示画面は元の４画面表示に戻る。右上の表示面を短押しすることにより、右上の表示面が大きくなり、４つの表示面中、右上の表示面のみが大きくなっている状態で、右上の画面の対角に位置する左下の表示面を短押しすることにより、右上の表示面が小さくなる。右上と右下の表示面の境界部分が長押しされたら、右上と右下との表示面が反転する。画面中央が長押しされたら、それぞれ対角の表示面と入れ替わる、すなわち、右上と左下、左上と右下の表示面がそれぞれ入れ替わるとしてもよい。
【図面の簡単な説明】
【００４９】
【図１】本発明の実施の形態に係るナビゲーション装置の外観構成を示す斜視図である。
【図２】操作パネルが開状態のときを示す上記ナビゲーション装置の外観構成を示す斜視図である。
【図３】操作パネルが開閉する機構を示す図である。
【図４】表示パネルの構成を示す分解斜視図である。
【図５】上記ナビゲーション装置の機能的構成を示すブロック図である。
【図６】２画面表示状態において、ＴＶ表示面を全画面表示に表示方法変更の態様を示す図である。
【図７】２画面表示状態において、地図表示面を全画面表示に表示方法変更の態様を示す図である。
【図８】２画面表示から全画面表示への表示方法変更処理を示すフローチャートである。
【図９】窓枠表示領域の表示領域を大きくする態様を示す図である。
【図１０】窓枠表示領域の表示領域小さくする態様を示す図である。
【図１１】窓枠表示領域の表示領域寸法変更処理を示すフローチャートである。
【図１２】表示領域境界部分に対するタッチ操作による表示領域反転の態様を示す図である。
【図１３】タッチパネル中央部分に対するタッチ操作による表示領域反転の態様を示す図である。
【図１４】表示領域反転処理を示すフローチャートである。
【符号の説明】
【００５０】
１  ナビゲーション装置
１４  表示パネル（表示画面）
１４Ｂ  境界部分
１４Ｃ  中央部分
１４Ｍ  地図表示面（地図）
１４Ｔ  ＴＶ表示面（ＴＶ映像）
３２  タッチパネル
【図１】
2006084919.tif 000003
【図２】
2006084919.tif 000004
【図３】
2006084919.tif 000005
【図４】
2006084919.tif 000006
【図５】
2006084919.tif 000007
【図６】
2006084919.tif 000008
【図７】
2006084919.tif 000009
【図８】
2006084919.tif 000010
【図９】
2006084919.tif 000011
【図１０】
2006084919.tif 000012
【図１１】
2006084919.tif 000013
【図１２】
2006084919.tif 000014
【図１３】
2006084919.tif 000015
【図１４】
2006084919.tif 000016